【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
表示手段の画面上の領域を選択するための選択装置と、選択情報送信装置と、ダイジェスト化データ生成装置と、ダイジェスト化編集装置とで構成され、
前記選択情報送信装置は、
前記選択装置によって選択された領域を示す情報と、前記表示手段に表示されている映像データを識別する情報と、前記選択装置によって選択が行われた時刻を示す情報とを取得する取得手段と、
ネットワーク経由で通信を行うための通信手段とを備え、
前記取得手段によって取得した情報を前記通信手段によって前記ダイジェスト化データ生成装置に送信し、
前記ダイジェスト化データ生成装置は、
ネットワーク経由で通信を行うための通信手段と、
前記通信手段によって前記選択情報送信装置から受信した情報を記憶するための記憶手段と、
前記記憶手段に記憶された情報に基づき、前記映像データのうちダイジェスト化する映像区間を示すダイジェスト化データを生成する生成手段と
を備え、前記ダイジェスト化データを前記通信手段によって前記ダイジェスト化編集装置に送信し、
前記ダイジェスト化編集装置は、
前記映像データを受信するための受信手段と、
前記受信手段によって受信された前記映像データを記憶するための記憶手段と、
ネットワーク経由で通信を行うための通信手段と、
前記通信手段によって前記ダイジェスト化データ生成装置から受信した前記ダイジェスト化データに基づき、前記記憶手段に記憶された前記映像データを編集してダイジェストを作成する編集手段と
を備えたことを特徴とするダイジェスト作成システム。
【請求項２】
請求項１に記載のダイジェスト作成システムにおいて、
前記選択情報送信装置は、制御手段，記憶手段，表示駆動手段，受信手段，判別手段，画像生成手段及び画像合成手段をさらに備え、
前記選択情報送信装置の前記制御手段は、映像データと、該映像データ内の複数のオブジェクトを識別する識別情報と、前記複数のオブジェクトが画面上でそれぞれ位置する領域を示す領域情報とを前記選択情報送信装置の外部から受信した場合、各々の前記オブジェクト毎に前記識別情報と前記領域情報と対応させて前記記憶手段に記憶させるとともに、該映像データを前記表示駆動手段に供給し、
前記選択情報送信装置の前記表示駆動手段は、前記映像データを前記表示手段に表示させるとともに、該表示手段の画面のうち前記記憶手段に前記領域情報が記憶された領域の少なくとも一部の範囲を、該領域に対応する前記識別情報に応じて変調した周期で点滅表示させ、
前記選択装置は、
光を受光して電気信号に変換するための受光手段と、
前記受光手段によって変換された電気信号を所定の通信方式で送信する送信手段と
を含んでおり、
前記選択情報送信装置の前記受信手段は、前記選択装置から送信された前記通信方式の信号を受信し、
前記選択情報送信装置の前記判別手段は、前記受信手段が受信した信号が、前記記憶手段に記憶された前記識別情報と一致する場合、該識別情報に対応する領域を、選択された領域として判別し、
前記選択情報送信装置の前記画像生成手段は、前記判別手段によって判別された領域を前記画面上で特定するための画像データを生成し、
前記選択情報送信装置の前記画像合成手段は、前記表示駆動手段に映像データを供給するとともに、前記画像生成手段によって生成された画像データを該映像データに合成し、
前記選択情報送信装置の前記取得手段は、前記判別手段から、前記選択装置によって選択された領域を示す情報を取得する
ことを特徴とするダイジェスト作成システム。
【請求項３】
請求項２に記載のダイジェスト作成システムにおいて、
前記選択情報送信装置の前記表示駆動手段は、前記点滅表示を行う領域における、所定の階調レベルに対応する輝度の一定期間内の積分値と、前記点滅表示を行わない領域における、前記所定の階調レベルに対応する輝度の前記一定期間内の積分値とが略等しくなるように、各々の領域の輝度の関係を設定する
ことを特徴とするダイジェスト作成システム。
【請求項４】
請求項２に記載のダイジェスト作成システムにおいて、
前記選択情報送信装置の前記表示駆動手段は、動画ボケの改善のための点灯期間及び消灯期間のうちの点灯期間に、該点灯期間よりも短い周期で前記点滅表示を行わせ、該周期を前記識別情報によって変調させる
ことを特徴とするダイジェスト作成システム。
【請求項５】
請求項２に記載のダイジェスト作成システムにおいて、
前記選択情報送信装置の前記表示駆動手段は、動画ボケの改善のための点灯期間及び消灯期間の繰り返し周期を、前記識別情報によって複数のフレームにまたがるように変調させる
ことを特徴とするダイジェスト作成システム。
【請求項６】
請求項１に記載のダイジェスト作成システムにおいて、
複数の視聴者宅に、前記選択装置，前記選択情報送信装置及び前記ダイジェスト化編集装置をそれぞれ設け、
前記ダイジェスト化データ生成装置の前記生成手段は、前記複数の視聴者宅の前記選択情報送信装置から受信した情報に基づいて前記ダイジェスト化データを生成する
ことを特徴とするダイジェスト作成システム。
【請求項７】
請求項１に記載のダイジェスト作成システムにおいて、
前記ダイジェスト化データ生成装置は、
前記選択情報送信装置から受信した情報を用いて、前記映像データ内で視聴者によって注目されているオブジェクトを確認する操作と、前記リストに組み込む映像区間を指定する操作とを行うための操作手段
をさらに備え、
前記ダイジェスト化データ生成装置の前記生成手段は、
前記選択情報送信装置から受信した情報のうち、前記表示手段に表示されている映像データを識別する情報と、前記選択装置によって選択が行われた時刻を示す情報とに基づき、前記映像データのうち選択率の高い映像区間を求め、該選択率の高い映像区間及び前記操作手段で指定された映像区間を示すリストを、前記ダイジェスト化データとして生成する
ことを特徴とするダイジェスト作成システム。
【請求項８】
請求項１に記載のダイジェスト作成システムにおいて、
前記ダイジェスト化編集装置は、
ダイジェストの時間長を指定するための操作手段
をさらに備え、
前記編集手段は、前記ダイジェスト化データに基づき、前記記憶手段に記憶された前記映像データを、前記操作手段によって指定された時間長に収まるように編集してダイジェストを作成する
ことを特徴とするダイジェスト作成システム。
【請求項９】
請求項１に記載のダイジェスト作成システムにおいて、
前記ダイジェスト化編集装置の前記編集手段は、前記記憶手段に記憶された前記映像データから、前記ダイジェスト化データが示す映像区間のみのダイジェストを作成し、該ダイジェストを前記記憶手段に記憶させるとともに、前記記憶手段に記憶された前記映像データを前記記憶手段から消去する
ことを特徴とするダイジェスト作成システム。
【請求項１０】
表示手段の画面上の領域を選択するための選択装置と、
選択情報送信装置と、
前記選択情報送信装置にネットワークで接続されたダイジェスト化データ生成装置と、
前記ダイジェスト化データ生成装置にネットワークで接続されたダイジェスト化編集装置と
によって映像データのダイジェストを作成する方法において、
前記選択情報送信装置が、前記選択装置によって選択された領域を示す情報と、前記表示手段に表示されている映像データを識別する情報と、前記選択装置によって選択が行われた時刻を示す情報とを取得する第１のステップと、
前記選択情報送信装置が、前記第１のステップで取得した情報を前記ネットワーク経由で前記ダイジェスト化データ生成装置に送信する第２のステップと、
前記ダイジェスト化データ生成装置が、前記選択情報送信装置から情報を受信する第３のステップと、
前記ダイジェスト化データ生成装置が、前記第３のステップで受信した情報を記憶手段に記憶させる第４のステップと、
前記ダイジェスト化データ生成装置が、前記第４のステップで前記記憶手段に記憶させた情報に基づき、前記映像データのうちダイジェスト化する映像区間を示すダイジェスト化データを生成する第５のステップと、
前記ダイジェスト化データ生成装置が、前記第５のステップで生成した前記ダイジェスト化データを、前記ネットワーク経由で前記ダイジェスト化編集装置に送信する第６のステップと、
前記ダイジェスト化編集装置が、前記映像データを受信する第７のステップと、
前記ダイジェスト化編集装置が、前記第７のステップで受信した前記映像データを記憶手段に記憶させる第８のステップと、
前記ダイジェスト化編集装置が、前記ダイジェスト化データ生成装置から前記ダイジェスト化データを受信する第９のステップと、
前記ダイジェスト化編集装置が、前記第９のステップで受信した前記ダイジェスト化データに基づき、前記第８のステップで前記記憶手段に記憶させた前記映像データを編集してダイジェストを作成する第１０のステップと
を有することを特徴とするダイジェスト作成方法。
【請求項１１】
表示手段の画面上の選択された領域を示す情報と、該表示手段に表示されている映像データを識別する情報と、前記領域の選択が行われた時刻を示す情報とを取得する取得手段と、
ネットワーク経由で通信を行うための通信手段と
を備え、前記取得手段によって取得した情報を前記通信手段によって送信する
ことを特徴とする選択情報送信装置。
【請求項１２】
請求項１１に記載の選択情報送信装置において、
制御手段，記憶手段，表示駆動手段，受信手段，判別手段，画像生成手段及び画像合成手段をさらに備え、
前記制御手段は、映像データと、該映像データ内の複数のオブジェクトを識別する識別情報と、前記複数のオブジェクトが画面上でそれぞれ位置する領域を示す領域情報とを前記選択情報送信装置の外部から受信した場合、各々の前記オブジェクト毎に前記識別情報と前記領域情報と対応させて前記記憶手段に記憶させるとともに、該映像データを前記表示駆動手段に供給し、
前記表示駆動手段は、前記映像データを前記表示手段に表示させるとともに、該表示手段の画面のうち前記記憶手段に前記領域情報が記憶された領域の少なくとも一部の範囲を、該領域に対応する前記識別情報に応じて変調した周期で点滅表示させ、
前記受信手段は、所定の通信方式の信号を受信し、
前記判別手段は、前記受信手段が受信した信号が、前記記憶手段に記憶された前記識別情報と一致する場合、該識別情報に対応する領域を、選択された領域として判別し、
前記画像生成手段は、前記判別手段によって判別された領域を前記画面上で特定するための画像データを生成し、
前記画像合成手段は、前記表示駆動手段に映像データを供給するとともに、前記画像生成手段によって生成された画像データを該映像データに合成し、
前記取得手段は、前記判別手段から、前記選択された領域を示す情報を取得する
ことを特徴とする選択情報送信装置。
【請求項１３】
請求項１２に記載の選択情報送信装置において、
前記選択情報送信装置の前記表示駆動手段は、前記点滅表示を行う領域における、所定の階調レベルに対応する輝度の一定期間内の積分値と、前記点滅表示を行わない領域における、前記所定の階調レベルに対応する輝度の前記一定期間内の積分値とが略等しくなるように、各々の領域の輝度の関係を設定する
ことを特徴とする選択情報送信装置。
【請求項１４】
請求項１２に記載の選択情報送信装置において、
前記選択情報送信装置の前記表示駆動手段は、動画ボケの改善のための点灯期間及び消灯期間のうちの点灯期間に、該点灯期間よりも短い周期で前記点滅表示を行わせ、該周期を前記識別情報によって変調させる
ことを特徴とする選択情報送信装置。
【請求項１５】
表示手段の画面上の選択された領域を示す情報と、該表示手段に表示されている映像データを識別する情報と、前記領域の選択が行われた時刻を示す情報とを取得する第１のステップと、
前記第１のステップで取得した情報をネットワーク経由で送信する第２のステップと
を有することを特徴とする選択情報送信方法。
【請求項１６】
コンピュータに、
表示手段の画面上の選択された領域を示す情報と、該表示手段に表示されている映像データを識別する情報と、前記領域の選択が行われた時刻を示す情報とを取得する第１の手順と、
前記第１の手順で取得した情報をネットワーク経由で送信させる第２の手順と
を実行させることを特徴とするプログラム。
【請求項１７】
ネットワーク経由で通信を行うための通信手段と、
前記通信手段によって受信した、表示手段の画面上の選択された領域を示す情報と、該表示手段に表示されている映像データを識別する情報と、前記領域の選択が行われた時刻を示す情報とを情報を記憶するための記憶手段と、
前記記憶手段に記憶された情報に基づき、前記映像データのうちダイジェスト化する映像区間を示すダイジェスト化データを生成する生成手段と
を備え、前記ダイジェスト化データを前記通信手段によって送信する
ことを特徴とするダイジェスト化データ生成装置。
【請求項１８】
表示手段の画面上の選択された領域を示す情報と、前記表示手段に表示されている映像データを識別する情報と、前記領域の選択が行われた時刻を示す情報とをネットワーク経由で受信する第１のステップと、
前記第１のステップで受信した情報を記憶手段に記憶させる第２のステップと、
前記第２のステップで前記記憶手段に記憶させた情報に基づき、前記映像データのうちダイジェスト化する映像区間を示すダイジェスト化データを生成する第３のステップと、
前記第３のステップで生成した前記ダイジェスト化データを、前記ネットワーク経由で送信する第４のステップと
を有することを特徴とするダイジェスト化データ生成方法。
【請求項１９】
映像データを受信するための受信手段と、
前記受信手段によって受信された前記映像データを記憶するための記憶手段と、
ネットワーク経由で通信を行うための通信手段と、
前記通信手段によって、前記映像データのうちダイジェスト化する映像区間を示すダイジェスト化データを受信したことに基づき、前記記憶手段に記憶された前記映像データを編集してダイジェストを作成する編集手段と
を備えたことを特徴とするダイジェスト化編集装置。
【請求項２０】
映像データを受信する第１のステップと、
前記第１のステップで受信した前記映像データを記憶手段に記憶させる第２のステップと、
前記映像データのうちダイジェスト化する映像区間を示すダイジェスト化データをネットワーク経由で受信する第３のステップと、
前記第３のステップで受信した前記ダイジェスト化データに基づき、前記第２のステップで前記記憶手段に記憶させた前記映像データを編集してダイジェストを作成する第４のステップと
を有することを特徴とするダイジェスト化編集方法。